(57)【要約】【課題】ＬＡＧ区間の障害の影響による無瞬断区間の無用な回線切替を防止できる伝送システム等を提供することを目的とする。【解決手段】第１の伝送装置が、ＬＡＧ区間及び無瞬断区間と接続し、無瞬断区間内の運用回線及び予備回線で信号を第２の伝送装置に伝送する。第１の伝送装置は、第１の伝送区間内の回線に接続される複数の第１の回線部を有する。第１の回線部が第１の伝送区間内の障害を検出した場合に第２の回線部経由で第２の伝送装置に伝送する信号に障害情報を付加する。第２の伝送装置は、第２の伝送区間に接続する複数の第３の回線部と、無瞬断区間の回線から受信した信号の数をカウントするカウント部とを有する。複数の第３の回線部の内、運用回線に接続される第３の回線部が運用回線の信号から障害情報を受信した場合、障害情報に基づき、カウント部のカウントをリセットする。【選択図】図１
2017139532.tif 000002
【特許請求の範囲】
【請求項１】
リンクアグリゲーション方式による伝送を行う第１の伝送区間と運用回線及び予備回線を用いた無瞬断切替方式による伝送を行う第２の伝送区間とを接続する第１の伝送装置と、前記第２の伝送区間により前記第１の伝送装置と接続された第２の伝送装置と、を備える伝送システムであって、  
前記第１の伝送装置は、前記第１の伝送区間内の回線に接続される複数の第１の回線部と、前記第２の伝送区間内の前記運用回線又は前記予備回線に接続される複数の第２の回線部とを有し、
前記第１の回線部は、前記第１の伝送区間内の障害を検出した場合に、前記第２の回線部経由で前記第２の伝送装置に伝送する信号に障害情報を付加する付加部
を有し、  
前記第２の伝送装置は、前記第２の伝送区間の回線に接続される複数の第３の回線部と、前記第２の伝送区間の回線から受信した前記信号の数をカウントするカウント部と
を有し、
前記複数の第３の回線部のうち、前記運用回線に接続される前記第３の回線部は、前記運用回線の信号から前記障害情報を受信した場合に、前記障害情報に基づき、前記カウント部のカウントをリセットする
ことを特徴とする伝送システム。
【請求項２】
前記第１の回線部は、
前記第１の伝送区間内の障害を検出した場合に、障害に関する情報を他の第１の回線部に通知する通知部を有することを特徴とする請求項１に記載の伝送システム。
【請求項３】
前記付加部は、
前記第２の伝送区間に伝送する信号に、信号の出力順序を識別する識別情報を付加し、
前記運用回線に接続される前記第３の回線部は、
前記運用回線の信号から前記識別情報を抽出した場合に、抽出された前記識別情報に基づき前記運用回線の障害を判定する監視部と、前記運用回線の信号から前記障害情報を受信した場合に、当該識別情報のカウントをリセットするリセット部と
を有することを特徴とする請求項１又は２に記載の伝送システム。
【請求項４】
リンクアグリゲーション方式による伝送を行う第１の伝送区間と、前記第１の伝送区間の後段で、運用回線及び予備回線を用いた無瞬断切替方式による伝送を行う第２の伝送区間とを接続する伝送装置であって、
前記第１の伝送区間内の回線に接続される複数の第１の回線部と、前記第２の伝送区間内の運用回線又は予備回線に接続される複数の第２の回線部とを有し、
前記第１の回線部は、
前記第１の伝送区間内の障害を検出した場合に、前記第２の回線部経由で前記対向装置に伝送する信号に障害情報を付加する付加部を有することを特徴とする伝送装置。
【請求項５】
リンクアグリゲーション方式による伝送を行う第１の伝送区間と、前記第１の伝送区間の後段で、運用回線及び予備回線を用いた無瞬断切替方式による伝送を行う第２の伝送区間とを接続する第１の伝送装置と、前記第２の伝送区間により前記第１の伝送装置と接続された第２の伝送装置とを備えた伝送システムの伝送方法であって、
前記第１の伝送装置は、前記第１の伝送区間内の回線に接続される複数の第１の回線部と、前記第２の伝送区間内の前記運用回線又は前記予備回線に接続される複数の第２の回線部とを有し、
前記第１の回線部が前記第１の伝送区間内の障害を検出した場合に、前記第２の回線部経由で前記第２の伝送装置に伝送する信号に障害情報を付加し、
前記第２の伝送装置は、前記第２の伝送区間の回線に接続される複数の第３の回線部と、前記第２の伝送区間の回線から受信した前記信号の数をカウントするカウント部とを有し、前記複数の第３の回線部のうち、前記運用回線に接続される前記第３の回線部が前記運用回線の信号から前記障害情報を受信した場合に、前記障害情報に基づき、前記カウント部のカウントをリセットする
処理を実行することを特徴とする伝送方法。
【発明の詳細な説明】
【技術分野】
【０００１】
本発明は、伝送システム、伝送装置及び伝送方法に関する。
【背景技術】
【０００２】
近年、伝送装置では、例えば、無瞬断切替方式とリンクアグリゲーション(Link Aggregation:以下、単にＬＡＧと称する)方式とを併用したシステムが求められている。ＬＡＧ方式は、直接接続しているノード間で物理リンクを複数本束ねて論理的に単一リンクに見せる技術として、ＩＥＥＥ８０２．１ａｄで標準化されている。ＬＡＧ方式では、論理リンクの帯域を複数の物理リンクに分散して運用するため、例えば、１本の物理リンクで障害が発生した場合でも、論理リンクの帯域を正常な物理リンクに分散することで、残りの物理リンクで通信を継続できる。
【０００３】
また、無瞬断切替方式では、運用回線と予備回線との冗長構成において、運用回線の障害時に運用回線から予備回線にパケットロスなく切替える方式である。無瞬断切替方式の送信端では、無瞬断区間の代表ポートの場合、フレームの順序を識別するシーケンス番号（Sequence Number:以下、単にＳＮと称する）を運用回線及び予備回線に出力するフレームに付加する。運用回線の受信端では、フレーム内のＳＮを監視し、運用回線でのＳＮ連続性が異常の場合に運用回線でのフレームの欠落と判断、すなわち運用回線が故障と判断し、運用回線から予備回線に運用出力を切替える。その結果、無瞬断切替方式では、運用回線で障害が発生した場合に、パケットロスなく、運用回線から予備回線に運用出力に切替えるため、安定した通信を確保できる。
【０００４】
従って、ＬＡＧ方式及び無瞬断切替方式を併用した伝送システムでは、ＬＡＧ方式で大規模通信を実現しながら、無瞬断切替方式で安定した通信を確保できる。
【先行技術文献】
【特許文献】
【０００５】
【特許文献１】特開２００５−３３３５４９号公報
【特許文献２】特開２００８−１１０８２号公報
【発明の概要】
【発明が解決しようとする課題】
【０００６】
しかしながら、ＬＡＧ方式及び無瞬断切替方式を併用した伝送システムでは、例えば、ＬＡＧ区間の後段に無瞬断区間を接続した場合、ＬＡＧ区間で運用中の物理リンクに障害が発生した場合、正常な物理リンクに切替えてＬＡＧ区間内の通信を継続する。この際、ＬＡＧ区間内の切替先の正常な物理リンクと接続する通信インタフェースでは、無瞬断区間の代表ポートの場合、新規のＳＮをフレームに付加して無瞬断区間に出力する。その結果、運用回線と接続する受信端では、受信したフレーム内の新規のＳＮとＬＡＧ区間の障害切替前のＳＮとの連続性がなく、その連続性の異常と判断し、運用回線が正常であるにもかかわらず、運用回線を予備回線に運用出力を切替える。つまり、無瞬断区間での無用な回線切替が発生する。
【０００７】
つまり、上位回線側の無瞬断区間は、本来、無瞬断区間の障害検出に応じて回線切替を実行する運用であるにもかかわらず、下位回線側のＬＡＧ区間の障害切替の影響で無瞬断区間の無用な回線切替が生じる。その結果、保守者は、無瞬断区間の切替要因を調査し、ＬＡＧ区間内の障害による波及切替を確認し、無瞬断区間の正常性を確認する作業負担を要する。従って、下位回線側のＬＡＧ区間の障害の影響で上位回線側の無瞬断区間の無用な回線切替が生じること自体、システム運用上、好ましくない。
【０００８】
一つの側面では、ＬＡＧ区間の障害の影響による無瞬断区間内の無用な回線切替を防止できる伝送システム等を提供することを目的とする。
【課題を解決するための手段】
【０００９】
一つの態様の伝送システムは、第１の伝送装置と、第２の伝送装置とを有する。第１の伝送装置は、リンクアグリゲーション方式による伝送を行う第１の伝送区間と、運用回線及び予備回線を用いた無瞬断切替方式による伝送を行う第２の伝送区間とを接続する。第２の伝送装置は、前記第２の伝送区間により前記第１の伝送装置と接続する。前記第１の伝送装置は、複数の第１の回線部と、複数の第２の回線部とを有する。第１の回線部は、前記第１の伝送区間内の回線に接続される。第２の回線部は、前記第２の伝送区間内の前記運用回線又は前記予備回線に接続される。前記第１の回線部は、前記第１の伝送区間内の障害を検出した場合に、前記第２の回線部経由で前記第２の伝送装置に伝送する信号に障害情報を付加する付加部を有する。第２の伝送装置は、複数の第３の回線部と、カウント部とを有する。第３の回線部は、前記第２の伝送区間の回線に接続される。カウント部は、前記第２の伝送区間の回線から受信した前記信号の数をカウントする。前記複数の第３の回線部のうち、前記運用回線に接続される前記第３の回線部は、前記運用回線の信号から前記障害情報を受信した場合に、前記障害情報に基づき、前記カウント部のカウントをリセットする。
【発明の効果】
【００１０】
一つの側面として、リンクアグリゲーション方式の第１の伝送区間の障害の影響による無瞬断切替方式の第２の伝送区間内の無用な回線切替を防止できる。
【図面の簡単な説明】
【００１１】
【図１】図１は、実施例１の伝送システムの一例を示す説明図である。
【図２】図２は、無瞬断区間に出力するフレームのフォーマット構成の一例を示す説明図である。
【図３】図３は、第１の伝送装置の構成の一例を示すブロック図である。
【図４】図４は、フレームのＳＮの流れの一例を示す説明図である。
【図５】図５は、第２の伝送装置の構成の一例を示すブロック図である。
【図６】図６は、ＬＡＧ区間の障害時に関わる伝送システムの一例を示す説明図である。
【図７】図７は、障害検出処理に関わる第１の伝送装置の処理動作の一例を示すフローチャートである。
【図８】図８は、切替処理に関わる第２の伝送装置の処理動作の一例を示すフローチャートである。
【図９】図９は、実施例２の伝送システムの一例を示す説明図である。
【図１０】図１０は、実施例２の第４のＬＩＵの構成の一例を示すブロック図である。
【発明を実施するための形態】
【００１２】
以下、図面に基づいて、本願の開示する伝送システム、伝送装置及び伝送方法の実施例を詳細に説明する。尚、本実施例により、開示技術が限定されるものではない。また、以下に示す実施例は、矛盾を起こさない範囲で適宜組み合わせても良い。
【実施例１】
【００１３】
図１は、実施例１の伝送システム１の一例を示す説明図である。図１に示す伝送システム１は、第３の伝送装置１０と、第１の伝送装置２０と、第２の伝送装置３０とを有する。伝送システム１は、第３の伝送装置１０と第１の伝送装置２０との間をＬＡＧ方式の回線で接続し、第１の伝送装置２０と第２の伝送装置３０との間を無瞬断切替方式の回線で接続する。ＬＡＧ方式で接続する回線区間は、第１の伝送区間であるＬＡＧ区間２とし、無瞬断切替方式で接続する回線区間は、第２の伝送区間である無瞬断区間３とする。無瞬断区間３は、運用回線３Ａと予備回線３Ｂとの冗長構成である。伝送システム１は、第３の伝送装置１０からＬＡＧ区間２を通じて第１の伝送装置２０に信号を出力し、第１の伝送装置２０から無瞬断区間３を経由して第２の伝送装置３０に信号を出力するため、ＬＡＧ区間２は下位回線側、無瞬断区間３は上位回線側となる。
【００１４】
第３の伝送装置１０は、複数の第３の通信ＩＦ（Interface）１１と、複数の第３のＬＩＵ(Line Interface Unit)１２と、第３のＳＷ(Switch)１３と、第３の制御部１４とを有する。第３のＬＩＵ１２は、ＬＡＧ区間２内の物理リンクとの間の通信を司る通信インタフェースである。第３のＳＷ１３は、第３の通信ＩＦ１１及び第３のＬＩＵ１２を切替接続するスイッチである。第３の制御部１４は、第３の伝送装置１０全体を制御する。ＬＡＧ区間２は、論理リンクの帯域を複数の物理リンクに分散する区間である。第３の伝送装置１０は、受信フレームの宛先アドレス等をハッシュ演算し、その演算結果に基づき、当該フレームを複数の物理リンクに分散すべく、フレームの帯域を各第３のＬＩＵ１２に分散する。
【００１５】
第１の伝送装置２０は、複数の第１のＬＩＵ２１と、複数の第１の通信ＩＦ２２と、第１のＳＷ２３と、第１の制御部２４とを有する。第１のＬＩＵ２１は、ＬＡＧ区間２内の物理リンクとの間の通信を司る第１の回線部である。第１の通信ＩＦ２２は、無瞬断区間３内の運用回線３Ａ及び予備回線３Ｂとの間の通信を司る第２の回線部である。第１のＳＷ２３は、例えば、第１のＬＩＵ２１及び第１の通信ＩＦ２２間を切替接続するスイッチである。第１の制御部２４は、第１の伝送装置２０全体を制御する。
【００１６】
第２の伝送装置３０は、複数の第２の通信ＩＦ３１と、第２のＳＷ３２と、第２の制御部３３とを有する。第２の通信ＩＦ３１は、無瞬断区間３内の通信を司る第３の回線部である。第２のＳＷ３２は、第２の通信ＩＦ３１を切替接続するスイッチである。第２の制御部３３は、第２の伝送装置３０全体を制御する。第２のＳＷ３２は、無瞬断区間３内の運用回線３Ａ又は予備回線３Ｂでの運用出力を切替選択する。尚、第２のＳＷ３２は、運用回線３Ａが正常の場合、運用回線３Ａの出力を運用し、運用回線３Ａが障害の場合、予備回線３Ｂの出力を運用することになる。
【００１７】
図２は、無瞬断区間３に出力するフレームのフォーマット構成の一例を示す説明図である。図２に示すフレームには、例えば、運用フレーム１００Ａと、切替時フレーム１００Ｂとがある。運用フレーム１００Ａは、無瞬断区間３の運用回線３Ａに出力するフレームであって、データ１０１と、無瞬断ヘッダ１０２とを有する。無瞬断ヘッダ１０２は、フローＩＤ１０２Ａと、ＳＮ（Sequential Number）１０２Ｂとを有する。フローＩＤ１０２Ａは、フレームを識別する情報である。ＳＮ１０２Ｂは、無瞬断区間３の障害を判定するのに使用するフレームの順序を示す番号である。尚、無瞬断区間３内の予備回線３Ｂに出力するフレームは、データ１０１及びフローＩＤ１０２Ａを有し、ＳＮ１０２Ｂが付加されていないものとする。切替時フレーム１００Ｂは、ＬＡＧ区間２内の物理リンク障害時に、無瞬断区間３内の運用回線３Ａに出力するフレームである。切替時フレーム１００Ｂは、データ１０１と、フローＩＤ１０２Ａと、ＳＮ１０２Ｂと、リセットフラグ１０３とを有する。リセットフラグ１０３は、ＬＡＧ区間２内の物理リンク障害を、無瞬断区間３内の運用回線３Ａと接続する受信端側で認識するための故障情報である。尚、リセットフラグ１０３は、ＬＡＧ区間２で障害が発生した場合にのみフレーム内に挿入することになるため、無瞬断区間３の使用帯域への影響を最小限に抑制できる。
【００１８】
図３は、第１の伝送装置２０の構成の一例を示すブロック図である。第１のＬＩＵ２１は、第１の受信部２１Ａと、カウンタ部２１Ｂと、付加部２１Ｃと、第１の送信部２１Ｄと、障害検出部２１Ｅと、通知部２１Ｆとを有する。第１の受信部２１Ａは、ＬＡＧ区間２内の物理リンクで受信したフレームを受信する。カウンタ部２１Ｂは、受信フレーム内に付加するＳＮを＋１インクリメントする。付加部２１Ｃは、カウンタ部２１Ｂで＋１インクリメントしたＳＮを受信フレーム内に付加する。第１の送信部２１Ｄは、ＳＮを付加したフレームを第１のＳＷ２３に出力する。障害検出部２１Ｅは、接続するＬＡＧ区間２内の物理リンクの障害を検出する。通知部２１Ｆは、障害検出部２１Ｅで障害を検出した場合に切替要求を含む障害報告を他の第１のＬＩＵ２１に通知する。尚、例えば、＃１〜＃３の第１のＬＩＵ２１の中で、フレームに対してＳＮを付加する無瞬断区間３の代表ポートが決定される。例えば、＃１の第１のＬＩＵ２１を代表ポートとした場合、＃１の第１のＬＩＵ２１は、受信フレームにＳＮを付加し、ＳＮを付加したフレームを第１のＳＷ２３に出力する。また、代表ポート以外の＃２及び＃３の第１のＬＩＵ２１は、ＳＮを付加することなく、受信フレームを第１のＳＷ２３に出力する。第１のＳＷ２３は、各第１のＬＩＵ２１からのフレームをコピーして各第１の通信ＩＦ２２に出力する。
【００１９】
＃１の第１の通信ＩＦ２２は、各第１のＬＩＵ２１からのフレームを無瞬断区間３内の運用回線３Ａに出力する。＃２の第１の通信ＩＦ２２は、各第１のＬＩＵ２１からのフレームを無瞬断区間３内の予備回線３Ｂに出力する。尚、代表ポートから運用回線３Ａ及び予備回線３Ｂに流すフレームにはＳＮが付加されているものとする。
【００２０】
第１の制御部２４は、第１のＳＷ２３を切替制御する。第１の制御部２４は、ＬＡＧ区間２内の物理リンクの障害を検出した場合、障害の第１のＬＩＵ２１から正常な切替先の第１のＬＩＵ２１に切替接続すべく、第１のＳＷ２３を制御する。
【００２１】
付加部２１Ｃは、代表ポートの第１のＬＩＵ２１の場合、フレームにＳＮを付加する。また、付加部２１Ｃは、代表ポートの第１のＬＩＵ２１であって、障害検出部２１Ｅにて障害を検出した場合、リセットフラグをフレームに付加する。
【００２２】
図４は、フレームのＳＮの流れの一例を示す説明図である。図４に示す例では、＃１の第１のＬＩＵ２１が代表ポートの場合に＃１の第１のＬＩＵ２１に接続するＬＡＧ区間２の物理リンクで障害が発生し、＃２の第１のＬＩＵ２１が代表ポートに切り替わる場合を例示している。尚、１−１は＃１の第１のＬＩＵ２１の１番目のフレームのＳＮ、２−ｘは＃２の第１のＬＩＵ２１のｘ番目のフレームのＳＮ、３−ｘは＃３の第１のＬＩＵ２１のｘ番目のフレームのＳＮを示すものである。
【００２３】
運用回線３Ａと接続する第２の伝送装置３０内の＃１の第２の通信ＩＦ３１では、ＳＮ１−１、２−ｘ、３−ｘ、１−２、２−ｘ＋１、３−ｘ＋１、３−ｘ＋２、１−３及び１−４の順にＳＮを抽出する。第２の通信ＩＦ３１は、次の１−５のＳＮを待機している状態でリセットフラグを検出した場合、ＬＡＧ区間２側の障害を検知したことになる。
【００２４】
そして、運用回線３Ａと接続する＃１の第２の通信ＩＦ３１では、リセットフラグを検出した場合、カウント中のＳＮをリセットする。尚、説明の便宜上、リセット後のＳＮは“１”となる。＃１の第２の通信ＩＦ３１は、＃１の第１のＬＩＵ２１の代わりに代表ポートとなる＃２の第１のＬＩＵ２１からの新規のＳＮ、すなわち２−１を受信する。従って、＃１の第２の通信ＩＦ３１では、ＳＮ１−５が受信できなくても、リセットフラグを受信したので、＃１の第１のＬＩＵ２１と接続するＬＡＧ区間２の物理リンクの障害発生と認識する。そして、＃１の第２の通信ＩＦ３１は、カウント中のＳＮをリセットするため、新規ＳＮ（２−１）を受信した場合でも、ＳＮの連続性が正常と判断することになる。その結果、ＬＡＧ区間２の障害の影響による無瞬断区間３内での無用な回線切替を防止できる。そして、第２の通信ＩＦ３１では、ＳＮの連続性が正常であるため、無瞬断区間３内の運用回線３Ａの出力の運用を継続する。
【００２５】
図５は、第２の伝送装置３０の構成の一例を示すブロック図である。図５に示す第２の通信ＩＦ３１は、第２の受信部３１Ａと、抽出部３１Ｂと、ＳＮ監視部３１Ｃと、ＳＮリセット部３１Ｄとを有する。第２の受信部３１Ａは、無瞬断区間３の運用回線３Ａ又は予備回線３Ｂからのフレームを受信する。抽出部３１Ｂは、無瞬断区間３内の運用回線３Ａからの受信フレーム内の無瞬断ヘッダ内のＳＮやリセットフラグを抽出する。
【００２６】
ＳＮ監視部３１Ｃは、抽出したＳＮの連続性を監視し、ＳＮの連続性が異常であるか否かを判定する。ＳＮ監視部３１Ｃは、ＳＮの連続性が異常の場合、運用回線３Ａを伝送するフレームの欠落と判断し、運用回線３Ａの障害と判定し、その判定結果を第２の制御部３３に通知する。また、ＳＮ監視部３１Ｃは、運用回線３Ａからのフレーム内にリセットフラグがあるか否かを判定する。ＳＮリセット部３１Ｄは、フレーム内にリセットフラグがある場合、カウント中のＳＮをリセットする。その結果、ＳＮ監視部３１Ｃは、ＳＮリセット部３１Ｄでカウント中のＳＮをリセット後、運用回線３Ａから新規ＳＮを抽出した場合でも、カウント中のＳＮがリセットされているため、ＳＮの連続性が正常と判断することになる。
【００２７】
次に実施例１の伝送システム１の動作について説明する。図６は、ＬＡＧ区間の障害時に関わる伝送システム１の一例を示す説明図である。尚、図６の例では、第１の伝送装置２０内の＃１の第１のＬＩＵ２１が代表ポートとして運用中に、＃１の第１のＬＩＵ２１側のＬＡＧ区間２と接続する物理リンクで障害が発生したものとする。また、第２の伝送装置３０内の運用回線３Ａと接続する＃１の第２の通信ＩＦ３１は、受信フレーム内のＳＮを監視しているものとする。
【００２８】
＃１の第１のＬＩＵ２１は、ＬＡＧ区間２側の物理リンクの障害を検出した場合（ステップＳ１）、代表ポートとしてのＳＮ付加を停止する。そして、＃１の第１のＬＩＵ２１は、代表ポートを切替えるべく、切替要求を含む障害報告を＃２の第１のＬＩＵ２１に通知する（ステップＳ２）。そして、代表ポートに切替えた＃２の第１のＬＩＵ２１は、無瞬断区間３内の運用回線３Ａに出力するフレームにリセットフラグを付加すると共に、新規のＳＮを付加する（ステップＳ３）。
【００２９】
第２の伝送装置３０内の運用回線３Ａに接続する＃１の第２の通信ＩＦ３１は、＃２の第１のＬＩＵ２１からのフレームを受信し、フレーム内にリセットフラグがあるか否かを判定する。＃１の第２の通信ＩＦ３１は、リセットフラグを検出した場合、カウント中のＳＮをリセットし、新規のＳＮを監視する。その結果、ＳＮ監視部３１Ｃは、カウント中のＳＮがリセットされているため、新規ＳＮを受信した場合でも、ＳＮの連続性に異常はなく、無瞬断区間３の運用回線３Ａが正常と判断し、運用回線３Ａでのフレーム伝送を継続できる。
【００３０】
図７は、障害検出処理に関わる第１の伝送装置２０の処理動作の一例を示すフローチャートである。尚、説明の便宜上、＃１の第１のＬＩＵ２１を無瞬断区間３の代表ポートとし、接続するＬＡＧ区間２の物理リンクで回線障害が発生したものとする。第１の伝送装置２０内の、例えば、＃１の第１のＬＩＵ２１内の障害検出部２１Ｅは、接続するＬＡＧ区間２の物理リンクの障害を検出したか否かを判定する（ステップＳ１１）。＃１の第１のＬＩＵ２１内の通知部２１Ｆは、ＬＡＧ区間２内の物理リンクの障害を検出した場合（ステップＳ１１肯定）、当該＃１の第１のＬＩＵ２１が代表ポートの場合に、その付加部２１Ｃに対してＳＮ付加を停止する（ステップＳ１２）。
【００３１】
＃１の第１のＬＩＵ２１内の通知部２１Ｆは、正常な物理リンクと接続する、例えば、＃２の第１のＬＩＵ２１に代表ポートを切替えるべく、＃２の第１のＬＩＵ２１に対して切替要求を含む障害報告を通知する（ステップＳ１３）。その結果、切替先の第１のＬＩＵ２１は、障害報告に応じて＃１の第１のＬＩＵ２１と接続するＬＡＧ区間２の物理リンクの障害を認識し、代表ポートに切替える。また、代表ポートに切替後の＃２の第１のＬＩＵ２１は、ＬＡＧ区間２の物理リンクを通じて受信フレームを検出したか否かを判定する（ステップＳ１４）。＃２の第１のＬＩＵ２１内の付加部２１Ｃは、受信フレームを検出した場合（ステップＳ１４肯定）、受信フレーム内にリセットフラグを付加する（ステップＳ１５）。更に、付加部２１Ｃは、受信フレーム内に新規のＳＮを付加する（ステップＳ１６）。そして、＃２の第１のＬＩＵ２１の第１の送信部２１Ｄは、ＳＮを付加したフレームを無瞬断区間３に伝送すべく、第１のＳＷ２３に出力し（ステップＳ１７）、図７に示す処理動作を終了する。尚、代表ポートの第１のＬＩＵ２１は、ＳＮを付加したフレームを運用回線３Ａに出力すると共に、フレーム内のＳＮを除く、データ及びフローＩＤを含むフレームを予備回線３Ｂに出力する。切替先の＃２の第１のＬＩＵ２１は、受信フレームを検出しなかった場合（ステップＳ１４否定）、図７に示す処理動作を終了する。
【００３２】
＃１の第１のＬＩＵ２１内の障害検出部２１Ｅは、ＬＡＧ区間２内の物理リンクの障害を検出しなかった場合（ステップＳ１１否定）、当該物理リンクを通じて受信フレームを検出したか否かを判定する（ステップＳ１８）。＃１の第１のＬＩＵ２１内の付加部２１Ｃは、受信フレームを検出した場合（ステップＳ１８肯定）、カウンタ部２１ＢでカウントしたＳＮを付加し（ステップＳ１９）、ＳＮを付加したフレームを無瞬断区間３に転送すべく、ステップＳ１７に移行する。＃１の第１のＬＩＵ２１は、受信フレームを検出しなかった場合（ステップＳ１８否定）、図７に示す処理動作を終了する。
【００３３】
障害検出処理を実行する第１のＬＩＵ２１は、ＬＡＧ区間２内で接続する物理リンクでの障害を検出し、かつ、自分が無瞬断区間３の代表ポートの場合、ＳＮ付加を停止し、代表ポートを切替えるべく、他の第１のＬＩＵ２１に障害報告を通知する。その結果、障害を検出した第１のＬＩＵ２１は、他の第１のＬＩＵ２１に無瞬断区間３の代表ポートを引き継がせることができる。尚、代表ポートを引き継がせる他の第１のＬＩＵ２１は適宜設定変更可能である。
【００３４】
第１のＬＩＵ２１は、障害報告を検出した場合、リセットフラグ及び新規ＳＮを受信フレームに付加し、当該受信フレームを無瞬断区間３内の運用回線３Ａに出力する。その結果、第２の伝送装置３０は、運用回線３Ａからフレーム内のリセットフラグを検出した場合、ＬＡＧ区間２側の障害を認識できる。
【００３５】
図８は、切替処理に関わる第２の伝送装置３０の処理動作の一例を示すフローチャートである。第２の伝送装置３０内の運用回線３Ａと接続する第２の通信ＩＦ３１内の第２の受信部３１Ａは、運用回線３Ａからフレームを受信したか否かを判定する（ステップＳ２１）。
【００３６】
運用回線３Ａと接続する第２の通信ＩＦ３１内の抽出部３１Ｂは、フレームを受信した場合（ステップＳ２１肯定）、受信フレーム内にリセットフラグがあるか否かを判定する（ステップＳ２２）。抽出部３１Ｂは、受信フレーム内にリセットフラグがない場合（ステップＳ２２否定）、当該リセットフラグを含む受信フレームからＳＮを抽出する（ステップＳ２３）。ＳＮ監視部３１Ｃは、抽出したＳＮの連続性が異常であるか否かを判定する（ステップＳ２４）。ＳＮ監視部３１Ｃは、ＳＮの連続性が異常の場合（ステップＳ２４肯定）、無瞬断区間３の運用回線３Ａの回線障害と判断し、当該フレームを伝送する無瞬断区間３の予備回線３Ｂの出力に運用を切替え（ステップＳ２５）、図８に示す処理動作を終了する。
【００３７】
第２の通信ＩＦ３１内のＳＮリセット部３１Ｄは、当該リセットフラグがある場合（ステップＳ２２肯定）、カウント中のＳＮをリセットし（ステップＳ２６）、ＳＮを抽出すべく、ステップＳ２３に移行する。また、ＳＮ監視部３１Ｃでは、リセットフラグの有無に基づき、ＬＡＧ区間２の障害発生を識別できる。ＳＮ監視部３１Ｃは、ＳＮの連続性が異常でない場合（ステップＳ２４否定）、当該フレームを伝送する運用回線３Ａの出力に運用を継続したまま（ステップＳ２７）、図８に示す処理動作を終了する。第２の受信部３１Ａは、運用回線３Ａからフレームを受信しなかった場合（ステップＳ２１否定）、図８に示す処理動作を終了する。
【００３８】
切替処理を実行する第２の通信ＩＦ３１は、運用回線３Ａでフレームを受信し、受信フレーム内にリセットフラグがある場合、カウント中のＳＮをリセットする。その結果、第２の通信ＩＦ３１は、カウント中のＳＮがリセットされることになるため、新規ＳＮを受信した場合でも、ＳＮの連続性に異常はなく、無瞬断区間３の運用回線３Ａが正常と判断し、運用回線３Ａでの出力の運用を継続できる。
【００３９】
第２の通信ＩＦ３１は、受信フレーム内のカウント中のＳＮの連続性が異常の場合、予備回線３Ｂの出力に運用を切替える。その結果、第２の通信ＩＦ３１は、無瞬断区間３の運用回線３Ａが異常の場合、予備回線３Ｂの出力に運用を切替えることで、安定した通信を確保できる。
【００４０】
第１のＬＩＵ２１は、ＬＡＧ区間２内の障害を検出した場合に障害報告を他の第１のＬＩＵ２１に通知する。更に、障害報告が通知された第１のＬＩＵ２１は、第１の通信ＩＦ２２経由で無瞬断区間３の第２の伝送装置３０に伝送するフレームにリセットフラグを付加する。そして、第２の伝送装置３０内の運用回線３Ａと接続する第２の通信ＩＦ３１は、運用回線３Ａのフレームからリセットフラグを抽出した場合、抽出されたリセットフラグに基づき、運用回線３Ａの出力の運用を継続する。その結果、ＬＡＧ区間２で障害が発生した場合でも、そのＬＡＧ区間２の障害の影響で無瞬断区間３の無用な回線切替を防止できる。つまり、伝送システム１では、下位回線側のＬＡＧ区間２で物理リンクの縮退等で切替えが発生した場合でも、そのＬＡＧ区間２のリンク切替えによる上位回線側の無瞬断区間３への無用な回線切替を防止できる。
【００４１】
更に、第２の通信ＩＦ３１は、運用回線３ＡのフレームからＳＮをカウントする際に、受信フレーム内のカウント中のＳＮをリセットするため、新規ＳＮを受信した場合でも、ＳＮの連続性に異常はなく、無瞬断区間３の運用回線３Ａが正常と判断する。その結果、運用回線３Ａの出力の運用を継続できる。しかも、第２の通信ＩＦ３１では、リセットフラグの検出の有無に応じて、ＬＡＧ区間２及び無瞬断区間３の障害の切り分けを可能にし、障害発生個所を解析するまでの時間を短縮化できる。
【００４２】
尚、第１の伝送装置２０では、第１のＬＩＵ２１内に障害検出部２１Ｅ及び通知部２１Ｆを内蔵し、障害を検出した場合に障害報告を他の第１のＬＩＵ２１に通知した。しかしながら、第１の伝送装置２０全体を制御する第１の制御部２４で、ＬＡＧ区間２内の各回線の障害を集中監視し、その障害報告を切替先の第１のＬＩＵ２１に通知しても良い。
【００４３】
また、第１の伝送装置２０では、＃１の第１のＬＩＵ２１でＬＡＧ区間２の回線の障害を検出した場合、＃２の第１のＬＩＵ２１に障害報告を通知したが、＃２の第１のＬＩＵ２１に限定されるものではなく、＃３の第１のＬＩＵ２１に通知しても良い。つまり、ＬＡＧ区間２の正常な回線と接続する第１のＬＩＵ２１であれば良い。
【００４４】
第１のＬＩＵ２１では、障害報告に応じてリセットフラグをフレーム内に１回付加したが、１回に限定されるものではなく、無瞬断区間３の使用帯域に影響を与えない程度に、障害報告後、リセットフラグを複数回付加しても良く、適宜変更可能である。
【００４５】
第１の伝送装置２０では、ＬＡＧ区間２で障害を検出した場合、リセットフラグを付加したフレームを無瞬断区間３内の運用回線３Ａの受信端である第２の伝送装置３０に伝送した。第２の伝送装置３０は、受信フレーム内のリセットフラグを検出した場合、カウント中のＳＮをリセットした。しかしながら、このような実施の形態に限定されるものではなく、ＬＡＧ区間２で障害が発生した場合でも、現在のＳＮを引き継ぐようにしても良く、その場合の実施の形態につき、実施例２として以下に説明する。
【実施例２】
【００４６】
図９は、実施例２の伝送システム１Ａの一例を示す説明図である。尚、図１に示す伝送システム１と同一の構成には同一符号を付すことで、その重複する構成及び動作の説明については省略する。
【００４７】
図９に示す第１の伝送装置２０Ａと図１に示す第１の伝送装置２０とが異なるところは、第１のＬＩＵ２１の代わりに第４のＬＩＵ２５を内蔵した点にある。第４のＬＩＵ２５は、ＬＡＧ区間２の障害検出時にリセットフラグを付加せず、第１の伝送装置２０Ａ内の各第４のＬＩＵ２５同士が、代表ポートの第４のＬＩＵ２５からのカウントパルス信号に応じてＳＮをカウントして代表ポートのＳＮを共有化する点にある。
【００４８】
例えば、代表ポートの＃１の第４のＬＩＵ２５は、ＳＮのカウントに応じて他の＃２及び＃３の第４のＬＩＵ２５にカウントパルス信号を出力する。＃２及び＃３の第４のＬＩＵ２５は、カウントパルス信号に応じてＳＮをカウントし、そのＳＮを保持する。
【００４９】
図１０は、実施例２の第４のＬＩＵ２５の構成の一例を示す説明図である。図１０に示す第４のＬＩＵ２５は、第４の受信部２５Ａと、調停部２５Ｂと、カウンタ部２５Ｃと、付加部２５Ｄと、第４の送信部２５Ｅと、障害検出部２５Ｆと、通知部２５Ｇとを有する。第４の受信部２５Ａは、ＬＡＧ区間２の物理リンクと接続し、物理リンクを通じてフレームを受信し、受信したフレームを付加部２５Ｄに出力する。第４の受信部２５Ａは、自分が代表ポートの第４のＬＩＵ２５に内蔵している場合、受信フレームの付加部２５Ｄへの出力に応じてカウントパルス信号を、第１の伝送装置２０Ａ内の他の第４のＬＩＵ２５及び調停部２５Ｂに出力する。調停部２５Ｂは、自分が代表ポートの第４のＬＩＵ２５に内蔵している場合、第４の受信部２５Ａからのカウントパルス信号を出力する。カウンタ部２５Ｃは、調停部２５Ｂで出力するカウントパルス信号に応じてＳＮを＋１インクリメントし、そのＳＮを付加部２５に出力する。付加部２５Ｄは、第４の受信部２５Ａからのフレームにカウンタ部２５ＣでインクリメントしたＳＮを付加する。第４の送信部２５Ｅは、付加部２５Ｄからのフレームを第１のＳＷ２３に出力する。
【００５０】
また、第４の受信部２５Ａは、自分が代表ポート以外の第４のＬＩＵ２５に内蔵している場合、受信フレームを付加部２５Ｄに出力する。この場合、第４の受信部２５Ａは、カウントパルス信号を出力しない。調停部２５Ｂは、自分が代表ポート以外の第４のＬＩＵ２５に内蔵している場合、代表ポートの第４のＬＩＵ２５内の第４の受信部２５Ａからのカウントパルス信号をカウンタ部２５Ｃに出力する。カウンタ部２５Ｃは、自分が代表ポート以外の第４のＬＩＵ２５に内蔵している場合、カウントパルス信号に応じて保持中のＳＮを＋１インクリメントし、そのＳＮを保持する。尚、付加部２５Ｄは、自分が代表ポート以外の第４のＬＩＵ２５に内蔵している場合、保持中のＳＮをフレームに付加しないものとする。そして、第４の送信部２５Ｅは、第４の受信部２５Ａからのフレームを第１のＳＷ２３に出力する。
【００５１】
障害検出部２５Ｆは、接続するＬＡＧ区間２の物理リンクの障害を検出する。通知部２５Ｇは、障害検出部２５Ｆで障害を検出した場合に障害報告を他の第４のＬＩＵ２５に通知する。付加部２５Ｄは、自分が代表ポートの場合、フレームにＳＮを付加する。
【００５２】
次に実施例２の伝送システム１Ａの動作について説明する。尚、図９の例では、第１の伝送装置２０Ａ内の＃１の第４のＬＩＵ２５が代表ポートとして運用中に、＃１の第４のＬＩＵ２５側のＬＡＧ区間２と接続する物理リンクで障害が発生した場合を想定している。また、第２の伝送装置３０内の運用回線３Ａと接続する＃１の第２の通信ＩＦ３１が受信フレーム内のＳＮを監視しているものとする。代表ポートである＃１の第４のＬＩＵ２５の第４の受信部２５Ａは、受信フレームの付加部２５Ｄへの出力に応じてカウントパルス信号を調停部２５Ｂ及び＃２及び＃３の第４のＬＩＵ２５に出力する。＃１の第４のＬＩＵ２５内の調停部２５Ｂは、カウントパルス信号をカウンタ部２５Ｃに出力する。＃１の第４のＬＩＵ２５内のカウンタ部２５Ｃは、カウントパルス信号に応じてＳＮを＋１インクリメントし、そのＳＮを付加部２５Ｄに出力する。＃１の第４のＬＩＵ２５内の付加部２５Ｄは、フレームにＳＮを付加し、そのフレームを第４の送信部２５Ｅに出力する。＃１の第４のＬＩＵ２５内の第４の送信部２５Ｅは、ＳＮを付加したフレームを第１のＳＷ２３に送信する。
【００５３】
更に、＃２及び＃３の第４のＬＩＵ２５内の調停部２５Ｂは、＃１の第４のＬＩＵ２５からのカウントパルス信号をカウンタ部２５Ｃに出力する。＃２及び＃３の第４のＬＩＵ２５内のカウンタ部２５Ｃは、調停部２５Ｂからのカウントパルス信号に応じてＳＮを＋１インクリメントし、そのＳＮを保持することになる。尚、＃２及び＃３の第４のＬＩＵ２５内の付加部２５Ｄは、代表ポートでないため、保持中のＳＮをフレームに付加しない。
【００５４】
＃１の第４のＬＩＵ２５内の障害検出部２５Ｆは、接続するＬＡＧ区間２の物理リンクに障害を検出した場合、代表ポートとしてのＳＮ付加を停止する。そして、＃１の第４のＬＩＵ２５は、代表ポートを切替えるべく、障害報告を＃２の第４のＬＩＵ２５に通知する。そして、＃２の第４のＬＩＵ２５は、障害報告に応じて自分を代表ポートに切替えることになる。＃２の第４のＬＩＵ２５内の付加部２５Ｄは、代表ポートに切替わったので、保持中のＳＮを受信フレームに付加して第４の送信部２５Ｅに出力する。そして、＃２の第４のＬＩＵ２５内の第４の送信部２５Ｅは、ＳＮを付加した受信フレームを無瞬断区間３内の運用回線３Ａに出力する。
【００５５】
そして、＃２の第４のＬＩＵ２５の第４の受信部２５Ａは、受信フレームの付加部２５Ｄへの出力に応じてカウントパルス信号を調停部２５Ｂ及び＃３の第４のＬＩＵ２５に出力する。その結果、＃２の第４のＬＩＵ２５は、カウントパルス信号に応じてＳＮを＋１インクリメントし、そのＳＮを受信フレームに付加して無瞬断区間３内の運用回線３Ａに出力する。更に、＃３の第４のＬＩＵ２５内の調停部２５Ｂは、＃２の第４のＬＩＵ２５からのカウントパルス信号をカウンタ部２５Ｃに出力する。＃３の第４のＬＩＵ２５内のカウンタ部２５Ｃは、カウンタ部２５Ｃからのカウントパルス信号に応じてＳＮを＋１インクリメントし、そのＳＮを保持する。＃３の第４のＬＩＵ２５は、代表ポートでないため、そのＳＮを保持するのみで、そのＳＮをフレームに付加しない。尚、＃３の第４のＬＩＵ２５も、代表ポートとなった場合、保持中のＳＮを受信フレームに付加することになる。
【００５６】
実施例２の第１の伝送装置２０Ａの代表ポートの第４のＬＩＵ２５内の第４の受信部２５Ａは、受信フレームの付加部２５Ｄへの出力に応じてカウントパルス信号を調停部２５Ｂ及び他の第４のＬＩＵ２５に出力する。そして、代表ポートの第４のＬＩＵ２５は、カウントパルス信号に応じてＳＮを＋１インクリメントし、そのＳＮを受信フレームに付加して無瞬断区間３の運用回線３Ａに出力する。更に、代表ポート以外の第４のＬＩＵ２５は、代表ポートの第４のＬＩＵ２５からのカウントパルス信号に応じてＳＮを＋１インクリメントして保持しておく。その結果、各第４のＬＩＵ２５では、代表ポートと同一のＳＮを共有することになるため、ＬＡＧ区間２の物理リンクで障害が発生した場合でも、保持中の代表ポートと同一のＳＮを引き継げる。第１の伝送装置２０Ａでは、ＬＡＧ区間２の物理リンクで障害が発生した場合でも、代表ポートを引き継いだ第４のＬＩＵ２５が保持中のＳＮをフレームに付加する。そして、無瞬断区間３の運用回線３Ａ側の受信端、すなわち第２の伝送装置３０側でのＳＮの連続性に異常がなくなるため、ＬＡＧ区間２の回線切替の影響による無瞬断区間３側の回線切替を防止できる。
【００５７】
尚、上記実施例２の第１の伝送装置２０Ａでは、第４のＬＩＵ２５内に障害検出部２５Ｆ及び通知部２５Ｇを内蔵し、障害を検出した場合に障害報告を他の第４のＬＩＵ２５に通知した。しかしながら、第１の伝送装置２０Ａ全体を制御する第１の制御部２４で、ＬＡＧ区間２の各回線の障害を集中監視し、その障害報告を切替先の第４のＬＩＵ２５に通知しても良い。
【００５８】
また、第１の伝送装置２０Ａでは、＃１の第４のＬＩＵ２５でＬＡＧ区間２の回線の障害を検出した場合、＃２の第４のＬＩＵ２５に障害報告を通知したが、＃２の第４のＬＩＵ２５に限定されるものではなく、＃３の第４のＬＩＵ２５に通知しても良い。つまり、ＬＡＧ区間２の正常な回線と接続する第４のＬＩＵ２５であれば良い。
【００５９】
また、図示した各部の各構成要素は、必ずしも物理的に図示の如く構成されていることを要しない。すなわち、各部の分散・統合の具体的形態は図示のものに限られず、その全部又は一部を、各種の負荷や使用状況等に応じて、任意の単位で機能的又は物理的に分散・統合して構成することができる。
【００６０】
更に、各装置で行われる各種処理機能は、ＣＰＵ（Central  Processing  Unit）、ＤＳＰ（Digital  Signal  Processor）やＦＰＧＡ（Field  Programmable  Gate  Array）等上で、その全部又は任意の一部を実行するようにしても良い。また、各種処理機能は、ＣＰＵ等で解析実行するプログラム上、又はワイヤードロジックによるハードウェア上で、その全部又は任意の一部を実行するようにしても良い。
【００６１】
各種情報を記憶する領域は、例えば、ＲＯＭ（Read  Only  Memory）や、ＳＤＲＡＭ（Synchronous  Dynamic  Random  Access  Memory）、ＭＲＡＭ（Magnetoresistive  Random  Access  Memory）やＮＶＲＡＭ（Non  Volatile  Random  Access  Memory）等のＲＡＭ（Random  Access  Memory）で構成しても良い。
【符号の説明】
【００６２】
１  伝送システム
２  ＬＡＧ区間
３  無瞬断区間
３Ａ  運用回線
３Ｂ  予備回線
２０  第１の伝送装置
２１  第１のＬＩＵ
２２  第１の通信ＩＦ
３０  第２の伝送装置
３１  第２の通信ＩＦ
【図１】
2017139532.tif 000003
【図２】
2017139532.tif 000004
【図３】
2017139532.tif 000005
【図４】
2017139532.tif 000006
【図５】
2017139532.tif 000007
【図６】
2017139532.tif 000008
【図７】
2017139532.tif 000009
【図８】
2017139532.tif 000010
【図９】
2017139532.tif 000011
【図１０】
2017139532.tif 000012